(57)【要約】【課題】着呼を伝えないモード設定時にも、緊急な用件を伝えるための着呼を利用者に伝える「移動電話装置」を提供する。【解決手段】制御部１３は、移動電話機３０の着呼発生時に、ドライブモードが設定されていた場合には、今回の着呼の発呼元からの過去Ｔ時間（たとえば、１分）以内の着呼が、Ｎ回（たとえば、３回）以上発生している場合には、呼出音を鳴動させ、利用者のオフフック操作を待って、移動電話機３０に呼を接続させ、音声通話を開始する。今回の着呼の発呼元からの着呼が過去Ｔ時間内にＮ回以上発生していない場合には、運転中のため電話にでられない旨の音声メッセージを移動電話機３０から発呼元に送信する。【選択図】図１
2008205543.tif 000002
【特許請求の範囲】
【請求項１】
着呼時に呼出音を鳴動せずに、当該着呼の発呼元に所定の音声メッセージを自動応答する自動応答モードを備えた移動電話装置であって、
前記自動応答モードが設定されているときに、着呼が発生した場合に、過去所定期間内における当該着呼の発呼元からの着呼の頻度を算定する着呼頻度検出手段と、
前記自動応答モードが設定されているときに、前記着呼頻度検出手段が所定のレベル以上大きい頻度を算出した場合に、呼出音を鳴動させ、利用者の応答操作に応じて、当該利用者と前記発呼元との音声通話を開始する着呼制御手段とを有することを特徴とする移動電話装置。
【請求項２】
着呼時に、呼出音を鳴動せずに当該着呼の発呼元に所定の音声メッセージを自動応答する自動応答モードを備えた移動電話装置であって、
前記自動応答モードが設定されているときに、着呼が発生した場合に、前記音声メッセージ送信中または前記音声メッセージの送信直後期間における、当該着呼の発呼元からの予め定めた番号列の受信を検出する番号列受信検出手段と、
前記自動応答モードが設定されているときに、前記番号列受信検出手段が前記番号列の受信を検出した場合に、呼出音を鳴動させ、利用者の応答操作に応じて、当該利用者と前記発呼元との音声通話を開始する着呼制御手段とを有することを特徴とする移動電話装置。
【請求項３】
着呼時に、呼出音を鳴動せずに当該着呼の発呼元に所定の音声メッセージを自動応答する自動応答モードを備えた移動電話装置であって、
前記自動応答モードが設定されているときに、着呼が発生した場合に、前記音声メッセージ送信後に、当該呼が前記発呼元によって所定期間以上切断されなかったことを検出する非切断検出手段と、
前記自動応答モードが設定されているときに、非切断検出手段が前記所定期間以上切断されなかったことを検出したときに呼出音を鳴動させ、利用者の応答操作に応じて、当該利用者と前記発呼元との音声通話を開始する着呼制御手段とを有することを特徴とする移動電話装置。
【請求項４】
請求項１、２または３記載の移動電話装置であって、
当該移動電話装置は、自動車に搭載され、
前記自動応答モードは、前記自動車の走行中設定されることを特徴とする移動電話装置。
【請求項５】
請求項１、２、３または４記載の移動電話装置であって、
接続された移動電話機にハンズフリー通話機能を付加するハンズフリー装置を有し、
前記着呼制御手段が開始する音声通話は、当該ハンズフリー装置に接続された移動電話機を用いたハンズフリー通話機能を利用して行われる音声通話であることを特徴とする移動電話装置。
【発明の詳細な説明】
【技術分野】
【０００１】
本発明は、主として、自動車等の移動体に搭載される移動電話装置における、着呼の取り扱いに関するものである。
【背景技術】
【０００２】
自動車等の移動体に搭載される移動電話装置における、着呼の取り扱いに関する技術としては、自動車に搭載される移動電話端末において、自動車の走行中の有無を検出し、自動車の走行中は、自身の動作モードを、ドライブモード呼称されるモードに設定する技術が知られている（たとえば、特許文献１）。ここで、ドライブモードとは、着呼時に呼出音を鳴動せずに着呼に自動応答して、現在電話にでられない旨の音声メッセージの送信や、発呼者の伝言の自動録音を行うモードを指す。
【０００３】
また、自動車に搭載されるハンズフリー通話装置において、自動車の車速が所定速度以上大きいときに、当該ハンズフリー通話装置に接続された移動電話機を制御しつつ、上述のようなドライブモードにおける着呼時の動作を行う技術も知られている（たとえば、特許文献２）。ここで、また、ハンズフリー通話装置とは、移動電話機から送信する音声をピックアップするマイクを備え、接続された移動電話機にハンズフリー通話の機能を付加する装置であり、ハンズフリー通話とは、利用者が移動電話機を手持ち操作することなく行う通話である。
【０００４】
また、以上のような、着呼時に呼出音を鳴動せずに着呼に自動応答して、現音声メッセージの送信や、発呼者の伝言の自動録音を行うモードに関する技術としては、予め特定の発呼元からの着呼に対してのみは、通常通り呼出音を鳴動させ、利用者と発呼元との通話を可能とする技術も知られている（たとえば、特許文献３）。
【特許文献１】特開平11-168767号公報
【特許文献２】特開2001-144850号公報
【特許文献３】特開平5-292177号公報
【発明の開示】
【発明が解決しようとする課題】
【０００５】
さて、自動車内の移動電話機に対して緊急な用件を伝えるための着呼が発生した場合には、自動車が走行している場合であっても、当該着呼を移動電話機の利用者に伝え、当該着呼に係る通話が行えるようにすることが好ましい場合もある。
しかしながら、前述したドライブモードが設定されている場合には、全ての着呼に対して一律にドライブモードでの処理が行われるため、緊急な用件を伝えるための着呼が発生した場合でも、その着呼を移動電話機の利用者に伝えることができない。
一方、前述した特許文献３の技術をドライブモードに適用すれば、自動車が走行している場合であっても、特定の発呼元から着呼については、その着呼を移動電話機の利用者に伝えることができる。しかしながら、緊急な用件を伝えるための呼が、常に特定の発呼元から着呼するとは限らない。
【０００６】
そこで、本発明は、移動電話機の利用者に着呼を伝えないモードが設定されている場合であっても、緊急な用件を伝えるための着呼については、当該着呼を移動電話機の利用者に伝えることを課題とする。
【課題を解決するための手段】
【０００７】
前記課題達成のために、本発明は、着呼時に呼出音を鳴動せずに、当該着呼の発呼元に所定の音声メッセージを自動応答する自動応答モードを備えた移動電話装置に、前記自動応答モードが設定されているときに、着呼が発生した場合に、過去所定期間内における当該着呼の発呼元からの着呼の頻度を算定する着呼頻度検出手段と、前記自動応答モードが設定されているときに、前記着呼頻度検出手段が所定のレベル以上大きい頻度を算出した場合に、呼出音を鳴動させ、利用者の応答操作に応じて、当該利用者と前記発呼元との音声通話を開始する着呼制御手段とを備えたものである。
【０００８】
ここで、移動電話装置の利用者に緊急の用件を連絡しようとする発呼元は、連絡がとれるまで、短時間の間に何度も移動電話装置に繰り返し発呼してくることが期待できる。したがって、このような移動電話装置によれば、自動応答モードが設定されている場合であっても、緊急な用件を伝えるための着呼については、当該着呼を移動電話装置の利用者に伝えることができるようになる。
【０００９】
また、本発明は、前記課題達成のために、着呼時に、呼出音を鳴動せずに当該着呼の発呼元に所定の音声メッセージを自動応答する自動応答モードを備えた移動電話装置を、前記自動応答モードが設定されているときに、着呼が発生した場合に、前記音声メッセージ送信中または前記音声メッセージの送信直後期間における、当該着呼の発呼元からの予め定めた番号列の受信を検出する番号列受信検出手段と、前記自動応答モードが設定されているときに、前記番号列受信検出手段が前記番号列の受信を検出した場合に、呼出音を鳴動させ、利用者の応答操作に応じて、当該利用者と前記発呼元との音声通話を開始する着呼制御手段とを含めて構成したものである。
【００１０】
このような移動電話装置によれば、移動電話機の利用者に緊急の用件を連絡しようとする発呼元のみが前記予め定めた番号列を入力するように処置することにより、自動応答モードが設定されている場合に、緊急な用件を伝えるための着呼についてのみ、当該着呼を移動電話装置の利用者に伝えることができるようになる。
【００１１】
また、前記課題達成のために、本発明は、着呼時に、呼出音を鳴動せずに当該着呼の発呼元に所定の音声メッセージを自動応答する自動応答モードを備えた移動電話装置に、前記自動応答モードが設定されているときに、着呼が発生した場合に、前記音声メッセージ送信後に、呼が前記発呼元によって所定期間以上切断されなかったことを検出する非切断検出手段と、前記自動応答モードが設定されているときに、非切断検出手段が前記所定期間以上切断されなかったことを検出したときに呼出音を鳴動させ、利用者の応答操作に応じて、当該利用者と前記発呼元との音声通話を開始する着呼制御手段とを備えたものである。
【００１２】
ここで、移動電話機の利用者に緊急の用件を連絡しようとする発呼元は、音声メッセージを聴いても直ちには呼を切断せずに、利用者が応答することを期待してしばらくそのまま待ち続けることが推定できる。したがって、このような移動電話装置によれば、自動応答モードが設定されている場合であっても、緊急な用件を伝えるための着呼については、当該着呼を移動電話装置の利用者に伝えることができるようになる。
【００１３】
なお、以上のような各移動電話装置は、自動車に搭載されたものであってよく、前記自動応答モードは、前記自動車の走行中設定されるものであってよい。
また、以上のような各移動電話装置は、接続された移動電話機にハンズフリー通話機能を付加するハンズフリー装置を含んで構成されるものであってよく、この場合、前記着呼制御手段が開始する音声通話は、当該ハンズフリー装置に接続された移動電話機を用いたハンズフリー通話機能を利用して行われる音声通話であってよい。
【発明の効果】
【００１４】
以上のように、本発明によれば、移動電話機の利用者に着呼を伝えないモードが設定されている場合であっても、緊急な用件を伝えるための着呼については、当該着呼を移動電話機の利用者に伝えることができる。
【発明を実施するための最良の形態】
【００１５】
以下、本発明の実施形態について、自動車に搭載され、移動電話機（一般に「携帯電話」とも呼称される）にハンズフリー通話機能を付加するハンズフリー通話装置への適用を例にとり説明する。
図１に、本実施形態に係るハンズフリー通話装置の構成を示す。
図示するように、ハンズフリー通話装置１０は、ハンズフリー通話処理装置１、携帯型の移動電話機３０を保持するクレイドル２、入力装置３、表示装置４、マイクロフォン５、スピーカ６とを備えている。
また、ハンズフリー通話処理装置１は、移動電話機インタフェース１１、通話音声処理部１２、制御部１３、メモリ１４を有している。
ここで、制御部１３は、自動車の車速を検出する車速センサ２０に接続している。また、メモリ１４には、呼び出し音として用いる音声の音声データや、通話相手に送信する音声メッセージとして用いる音声の音声データが予め記憶されている。また、メモリ１４には、通話相手から伝言として受信した音声の音声データを記憶することができる。
【００１６】
ここで、移動電話機３０がクレイドル２に装着されると、クレイドル２に設けられたコネクタと、移動電話機３０に設けられているコネクタが連結し、移動電話機３０と移動電話機インタフェース１１とが接続される。そして、移動電話機３０と移動電話機インタフェース１１との間で各種信号の入出力が行われる。ただし、移動電話機インタフェース１１は、Bluetooth（登録商標）などの近距離無線通信によって移動電話機３０に接続し信号の入出力を行うものであってもよく、この場合にはクレイドル２は不要となる。
【００１７】
ここで、移動電話機３０と移動電話機インタフェース１１との間で入出力する信号としては、移動電話機３０から通話相手に送信する音声を表す送信音声信号や、移動電話機３０が通話相手から受信した音声を表す受信音声信号の他、制御部１３と移動電話機３０との間で移動電話機インタフェース１１を介して送受される各種コマンドや各種状態情報があり、制御部１３は、これらコマンドや状態情報を用いて、移動電話機３０の各種動作の制御や移動電話機３０の各種状態の取得を行う。なお、送信音声信号は、ハンズフリー通話処理装置１から移動電話機３０に対して出力され、受信音声信号は、移動電話機３０からハンズフリー通話処理装置１に対して出力される。
【００１８】
さて、ハンズフリー通話装置１０の移動電話機インタフェース１１に接続した移動電話機３０は、着呼時の呼出音の鳴動は行わない。また、移動電話機３０が備える内蔵スピーカと内蔵マイクロフォンを用いた音声の入出力は行わない。すなわち、ハンズフリー通話装置１０の移動電話機インタフェース１１に接続した移動電話機３０は、移動電話網を介した他の電話機との呼が確立している期間中、通話相手の電話機から受信した音声信号を、受信音声信号として移動電話機インタフェース１１に出力し、移動電話機インタフェース１１から送信音声信号として受信した音声信号を、通話相手の電話機に送信する。
【００１９】
移動電話機インタフェース１１は、受信した受信音声信号を、通話音声処理部１２に送り、通話音声処理部１２から入力する送信音声信号を移動電話機３０に送信する。また、制御部１３によって音声通話が開始されると、通話音声処理部１２は、入力した受信音声信号に対して、音量調整やラウドネス補償処理を施し、スピーカ６から出力する。また、音声通話が開始されると、通話音声処理部１２は、マイクロフォン５から入力した音声信号を、スピーカ６からマイクロフォン５への回り込んだ音声成分を除去するエコーキャンセル処理などを施した後、移動電話機インタフェース１１を介して送信音声信号として移動電話機３０に送る。
【００２０】
そして、制御部１３は、入力装置３から入力されるユーザ操作や、移動電話機３０から通知される着呼通知や通話終了通知などの各種状態を表す状態情報に応じて、移動電話機３０にコマンドを発行することにより、移動電話機３０の発呼動作や着呼応答動作などの呼制御動作やその他の各種通信動作の制御を行う。
【００２１】
さて、このような構成において、ハンズフリー通話装置１０は、動作モードとして、ドライブモードを備えており、このドライブモードの設定/解除は、制御部１３が、次に示すドライブモード制御処理によって行う。
図２に、このドライブモード制御処理の手順を示す。
図示するように、この処理では、車速センサ２０が検出している自動車の車速を監視し（ステップ２０２）、車速が所定の速度Ｔｈを超えたならば（ステップ２０４）、ドライブモードを設定する（ステップ２０６）。
そしてドライブモードを設定したならば、車速センサ２０が検出している自動車の車速が所定の速度Ｔｈ-Δ（但し、Ｔｈ＞Δ）以下となるのを監視し（ステップ２０８、２１０）、車速が所定の速度Ｔｈ-Δ以下となったならば、ドライブモードを解除し（ステップ２１２）、ステップ２０２からの処理に戻る。なお、Δは、速度Ｔｈ付近で自動車が走行しているときに、必要以上に頻繁にドライブモードの設定/解除が繰り返されないようにするために設けている。
【００２２】
このようなドライブモード制御処理によれば、自動車が速度Ｔｈを超える速度で走行している場合には、自動的にドライブモードが設定され、当該ドライブモードの設定が、自動車が速度Ｔｈ-Δまで減速するまで維持されることになる。
次に、制御部１３は、移動電話機３０が通信を行っていない着信待ち受け状態にあるときには、図２ｂに示す着信処理を実行する。
図示するように、この着信処理では、移動電話機３０における着呼の発生を待ち（ステップ２５２）、着呼が発生したならば（ステップ２５２）、現在、ドライブモードが設定されているかどうかを調べ（ステップ２５４）、ドライブモードが設定されていなければ、通話音声処理部１２に、予めメモリ１４に用意した音声データに基づく呼出音をスピーカ６から出力させることにより、呼出音を鳴動させる（ステップ２６６）。そして、利用者の入力装置３に対するオフフック操作を待って（ステップ２６８）、移動電話機３０に着呼に応答させることにより呼を接続させて呼を確立し（ステップ２７０）、音声通話を開始し（ステップ２７２）、処理を終了する。ここで、前述のように、音声通話が開始されると、通話音声処理部１２は、移動電話機３０から送られた受信音声信号をスピーカ６に出力し、マイクロゴン５から入力した音声信号を送信音声信号として移動電話機３０に送る。
なお、このような音声通話開始後、利用者または発呼元によって呼が切断され、呼が解放されたならば、制御部１３は、音声通話を終了して着信待ち受け状態に遷移し、着信処理を再起動する。
【００２３】
一方、着呼発生時に（ステップ２５２）、ドライブモードが設定されていた場合には（ステップ２５４）、移動電話機３０から通知された発呼元の電話番号と現在日時を着呼履歴としてメモリ１４に保存し（ステップ２５６）、今回の着呼の発呼元からの過去Ｔ時間（たとえば、１分）以内の着呼が、Ｎ回（たとえば、３回）以上発生しているかどうかをメモリ１４に保存されている着呼履歴を参照して判定し（ステップ２５８）、過去Ｔ時間内にＮ回以上発生していれば、呼出音を鳴動させ（ステップ２６６）、利用者のオフフック操作を待って（ステップ２６８）、移動電話機３０に呼を接続させて呼を確立し（ステップ２７０）、音声通話を開始し（ステップ２７２）、処理を終了する。なお、この後、利用者または発呼元によって呼が切断され、呼が解放されたならば、制御部１３は、音声通話を終了して着信待ち受け状態に遷移し、着信処理を再起動する。
【００２４】
一方、今回の着呼の発呼元からの着呼が過去Ｔ時間内にＮ回以上発生していなければ（ステップ２５８）、移動電話機３０に呼を接続させて呼を確立し（ステップ２６０）、介して予めメモリ１４に用意した伝言の音声データに基づく音声メッセージの音声信号を通話音声処理部１２を送信音声信号として移動電話機３０に出力することにより、発呼元に送信する（ステップ２６２）。ここで、この音声メッセージとしては、たとえば、「ただいま、運転中のため、電話にでられません。伝言のある方は、このままお話ください。」といった音声を用いる。
【００２５】
そして、移動電話機３０から受信音声信号として通話音声処理部１２に入力する、発呼元から送信された伝言音声の音声データをメモリ１４に伝言として記憶する伝言録音処理を開始し（ステップ２６４）、処理を終了する。ここで、この後、伝言録音処理または発呼元によって呼が切断され、呼が解放されたならば、制御部１３は、伝言録音処理を終了して着信待ち受け状態に遷移し、着信処理を再起動する。なお、伝言録音処理は、伝言の録音時間が予め定めた録音可能最大時間となったときなどに呼を切断する。
【００２６】
なお、以上の着信処理実行中に、発呼元から呼が切断された場合には、制御部１３は、着信処理を直ちに終了し、呼が接続されている場合には呼を切断して解放した上で、着信待ち受け状態に遷移する。そして、着信処理を再起動する。
以上のような着信処理によれば、ハンズフリー通話装置１０は、ドライブモード設定時に、着呼があった場合に、呼出音を鳴動させずに呼を自動接続し、発呼元に対する音声メッセージの送信と、発呼元からの伝言の録音を行う処理を行うが、同じ発呼元から所定期間内に所定回数以上着呼した場合に限っては、呼出音を鳴動させて、利用者に着呼を知らせ、その後の利用者のオフフック操作に応じて利用者と発呼元との間の通話を可能とする。
【００２７】
ここで、移動電話機３０の利用者に緊急の用件を連絡しようとする発呼元は、連絡がとれるまで、短時間の間に何度も移動電話機３０に繰り返し発呼してくることが期待できる。したがって、このような着信処理によれば、ドライブモードが設定されている場合であっても、緊急な用件を伝えるための着呼については、当該着呼を移動電話機３０の利用者に伝えることができる。
【００２８】
ところで、以上の実施形態で示した着信処理は、図３に示すように行うようにしてもよい。
すなわち、この着信処理では、移動電話機３０における着呼の発生を待ち（ステップ３０２）、着呼が発生したならば（ステップ３０２）、現在、ドライブモードが設定されているかどうかを調べ（ステップ３０４）、ドライブモードが設定されていなければ、呼出音を鳴動させ（ステップ３２８）、利用者の入力装置３に対するオフフック操作を待って（ステップ３３０）、移動電話機３０に呼を接続させて呼を確立し（ステップ３３２）、音声通話を開始し（ステップ３３４）、処理を終了する。なお、この後、利用者または発呼元によって呼が切断され、呼が解放されたならば、制御部１３は、音声通話を終了し着信待ち受け状態に遷移し、着信処理を再起動する。
【００２９】
一方、着呼発生時に（ステップ３０２）、ドライブモードが設定されていた場合には（ステップ３０４）、移動電話機３０に呼を接続させて呼を確立し（ステップ３０６）、通話音声処理部１２を介して予めメモリ１４に用意した伝言の音声データに基づく音声メッセージの音声信号を送信音声信号として移動電話機３０に出力することにより、音声メッセージを発呼元に送信する（ステップ３０８）。ここで、この音声メッセージとしては、たとえば、「ただいま、運転中のため電話にでられません。後ほどおかけ直しください。」といった音声を用いる。
【００３０】
そして、発呼元から、予め定めておいた暗証番号を受信することなく（ステップ３１０）、音声メッセージの送信を終了したならば（ステップ３１２）、移動電話機３０に呼を切断させて、呼を解放し（ステップ３１４）、処理を終了する。ここで、この暗唱番号は、発呼元の電話機から、当該電話機のボタン操作によって送信されるＤＴＭＦ信号列によって受け付ける。すなわち、通話音声処理部１２は受信音声信号に含まれるＤＴＭＦ信号列が表す番号列を検出し、検出した番号列を制御部１３に通知する。そして、制御部１３は、通知された番号列が暗証番号と一致した場合に暗唱番号を受信したと判定する。なお、このようにして、呼が解放されたならば、制御部１３は、着信待ち受け状態に遷移し、着信処理を再起動する。
【００３１】
一方、音声メッセージの送信を終了する前に、発呼元から暗証番号を受信した場合には（ステップ３１０）、所定のタイムアウト時間（たとえば、１５秒）を持つタイマをセットし（ステップ３１６）、呼出音を鳴動させ（ステップ３１８）、利用者の入力装置３に対するオフフック操作を待って（ステップ３２２）、音声通話を開始し（ステップ３２４）、処理を終了する。なお、この後、利用者または発呼元によって呼が切断され、呼が解放されたならば、制御部１３は、着信待ち受け状態に遷移し、着信処理を再起動する。ただし、利用者の入力装置３に対するオフフック操作の前にステップ３１６でセットしたタイマがタイムアウトした場合には（ステップ３２０）、移動電話機３０に呼を切断させ（ステップ３２６）処理を終了する。この場合にも制御部１３は、呼が解放されたならば、制御部１３は、着信待ち受け状態に遷移し、着信処理を再起動する。
【００３２】
ところで、このような着信処理のステップ３０８で発呼元に送信する音声メッセージは、たとえば、「ただいま、運転中のため電話にでられません。急用の方は「１２３４（暗唱番号）」を押して下さい。」の音声と、これに引き続く数秒間の無音音声と、これに引き続く「急用でない方は、後ほどおかけ直しください。」の音声とよりなる音声メッセージのような、発呼元に暗唱番号を伝える音声メッセージを用いるようにしてもよい。なお、このような、発呼元に暗唱番号を伝える音声メッセージを用いない場合には、緊急の用件を連絡する可能性のある者に、緊急の用件の場合にのみ使用するように、暗唱番号を予め通知しておくようにする。
【００３３】
なお、以上の着信処理実行中に、発呼元から呼が切断された場合には、制御部１３は、着信処理を直ちに終了し、呼が接続されている場合には呼を切断して解放した上で、着信待ち受け状態に遷移する。そして、着信処理を再起動する。
このような着信処理によれば、ハンズフリー通話装置１０は、ドライブモード設定時に、着呼があった場合に、呼出音を鳴動させずに呼を自動接続し、発呼元に対する音声メッセージの送信を行うが、音声メッセージの送信中に、暗唱番号を受信した場合には、呼出音を鳴動させて、利用者に着呼を知らせ、その後の利用者のオフフック操作に応じて利用者と発呼元との間の通話を可能とする。
【００３４】
ここで、以上のように移動電話機３０の利用者に緊急の用件を連絡しようとする発呼元のみが暗証番号を入力するようにすることにより、このような着信処理によって、ドライブモードが設定されている場合に、緊急な用件を伝えるための着呼についてのみ、当該着呼を移動電話機３０の利用者に伝えることができるようになる。
【００３５】
なお、図３に示した着信処理は、音声メッセージ送信完了後（ステップ３１２）に、所定期間、暗唱番号の受信を待ち、所定期間内に暗唱番号を受信したならばステップ３１６に進み、所定期間内に暗唱番号を受信しなかった場合に、ステップ３１４に進んで、移動電話機３０に呼を切断し、処理を終了するものとしてもよい。
【００３６】
さて、さらに、このようなハンズフリー通話装置１０における着信処理は、図４に示すように行うようにしてもよい。
すなわち、この着信処理では、移動電話機３０における着呼の発生を待ち（ステップ４０２）、着呼が発生したならば（ステップ４０２）、現在、ドライブモードが設定されているかどうかを調べ（ステップ４０４）、ドライブモードが設定されていなければ、呼出音を鳴動させ（ステップ４２６）、利用者の入力装置３に対するオフフック操作を待って（ステップ４２８）、移動電話機３０に呼を接続させて呼を確立し（ステップ４３０）、音声通話を開始し（ステップ４３２）、処理を終了する。なお、この後、利用者または発呼元によって呼が切断され、呼が解放されたならば、制御部１３は、音声処理を終了して着信待ち受け状態に遷移し、着信処理を再起動する。
【００３７】
一方、着呼発生時に（ステップ４０２）、ドライブモードが設定されていた場合には（ステップ４０４）、移動電話機３０に呼を接続させて呼を確立し（ステップ４０６）、通話音声処理部１２を介して予めメモリ１４に用意した伝言の音声データに基づく音声メッセージの音声信号を送信音声信号として移動電話機３０に出力することにより、音声メッセージを発呼元に送信する（ステップ４０８）。ここで、この音声メッセージとしては、たとえば、「ただいま、運転中のため電話にでられません。後ほどおかけ直し下さい。」といった音声を用いる。
【００３８】
そして、所定のタイムアウト時間（たとえば、３０秒）のタイムアウト時間を有するタイマＡをセットし（ステップ４１０）、タイマＡのタイムアウトが発生したならば（ステップ４１２）、所定のタイムアウト時間（たとえば、１５秒）を持つタイマＢをセットし（ステップ４１４）、呼出音を鳴動させ（ステップ４１６）、利用者の入力装置３に対するオフフック操作を待って（ステップ４２０）、音声通話を開始し（ステップ４２２）、処理を終了する。なお、この後、利用者または発呼元によって呼が切断され、呼が解放されたならば、制御部１３は、音声通話を終了して着信待ち受け状態に遷移し、着信処理を再起動する。
【００３９】
ただし、利用者の入力装置３に対するオフフック操作の前にステップ４２４でセットしたタイマＢがタイムアウトした場合には（ステップ４１８）、移動電話機３０に呼を切断させ（ステップ４２４）処理を終了する。この場合にも制御部１３は、呼が解放されたならば、制御部１３は、着信待ち受け状態に遷移し、着信処理を再起動する。
【００４０】
ところで、このような着信処理のステップ４０８で発呼元に送信する音声メッセージは、たとえば、「ただいま、運転中のため電話にでられません。急用の方は、このまましばらくお待ちください。急用でない方は、後ほどおかけ直しください。」といったような、緊急の用件を有する発呼元を、タイマＡのタイムアウト発生まで待機するように誘導する音声メッセージを用いるようにしてもよい。
【００４１】
なお、以上の着信処理実行中に、発呼元から呼が切断された場合には、制御部１３は、着信処理を直ちに終了して呼を解放し、その後、着信処理を再起動するようにする。したがってステップ４１２でタイマＡをセットした後、タイマＡのタイムアウト（ステップ４１４）が発生する前に、発呼元から呼が切断された場合には、制御部１３は、着信処理を直ちに終了して呼を解放し、その後、着信処理を再起動することなる。
以上、このような着信処理によれば、ハンズフリー通話装置１０は、ドライブモード設定時に、着呼があった場合に、呼出音を鳴動させずに呼を自動接続し、発呼元に対する音声メッセージの送信と、発呼元からの伝言の録音を行う処理を行うが、音声メッセージの送信後も所定期間、発呼元によって呼が切断されなかった場合には、呼出音を鳴動させて、利用者に着呼を知らせ、その後の利用者のオフフック操作に応じて利用者と発呼元との間の通話を可能とする。
【００４２】
ここで、移動電話機３０の利用者に緊急の用件を連絡しようとする発呼元は、音声メッセージを聴いても直ちには呼を切断せずに、利用者が応答することを期待してしばらくそのまま待ち続けることが推定できる。したがって、このような着信処理によれば、ドライブモードが設定されている場合であっても、緊急な用件を伝えるための着呼については、当該着呼を移動電話機３０の利用者に伝えることができる。
【００４３】
以上、本発明の実施形態について説明した。
なお、以上の実施形態で示した着信処理は、ドライブモードを利用者が手動で設定する場合にも同様に適用することができる。また、以上の実施形態で示した着信処理は、移動電話機単体に以上のようなドライブモードを備える場合において、移動電話機３０における着信処理として適用することもできる。
【００４４】
また、移動電話機単体もしくは移動電話機３０に接続したハンズフリー装置において、ドライブモード以外の、公共モード等の着信時に呼出音を鳴動させないモードが設定されている場合にも、以上の着信処理は応用できる。すなわち、この場合には、たとえば、着呼発生時に当該着呼の発呼元から過去Ｔ時間内にＮ回以上の着呼があった場合には、呼出音を鳴動させて、着呼を利用者に知らせ、その後のユーザ操作に応じて発呼元との通話を可能とするようにする。そして、他の場合には、設定されているモードに応じた処理を行うようにする。また、着呼発生時に、呼を接続して設定されているモードに応じた音声メッセージを発呼元に送信する場合には、音声メッセージ送信中または送信直後の所定期間内に所定の暗証番号を受信したり、音声メッセージ送信完了後も所定期間以上呼が切断されなかった場合に、呼出音を鳴動させて、着呼を利用者に知らせ、その後のユーザ操作に応じて発呼元との通話を可能とするようにする。そして、他の場合には、設定されているモードに応じた処理を行うようにする。
【図面の簡単な説明】
【００４５】
【図１】本発明の実施形態に係るハンズフリー通話装置の構成を示すブロック図である。
【図２】本発明の実施形態に係るハンズフリー通話装置の着信処理を示すフローチャートである。
【図３】本発明の実施形態に係るハンズフリー通話装置の着信処理の他の例を示すフローチャートである。
【図４】本発明の実施形態に係るハンズフリー通話装置の着信処理の他の例を示すフローチャートである。
【符号の説明】
【００４６】
１…ハンズフリー通話処理装置、２…クレイドル、３…入力装置、４…表示装置、５…マイクロフォン、６…スピーカ、１０…ハンズフリー通話装置、１１…移動電話機インタフェース、１２…通話音声処理部、１３…制御部、１４…メモリ、２０…車速センサ、３０…移動電話機。
【図１】
2008205543.tif 000003
【図２】
2008205543.tif 000004
【図３】
2008205543.tif 000005
【図４】
2008205543.tif 000006